(57)【要約】      （修正有）【課題】被清掃面での使用性を向上させることができる電気掃除機の吸込口体を提供すること。【解決手段】吸込口体１は、吸込口本体１０と、吸込口本体１０の底部に着脱可能に装着される装着ノズル２０とを備え、吸込口本体１０はモータ１１ｂと、第１回転部材１１ａとを有し、装着ノズル２０はモータ１１ｂの回転力が伝達されて回転する第２回転部材２２を有する構成とすることで、装着ノズル２０にて被清掃面のダストを吸引除去する高速回転での使用形態と、装着ノズル２０を取り外した吸込口本体１０にて吸引除去する高トルクでの使用形態とのいずれか一方を選択することが可能となり、被清掃面の種類に応じて清掃することができる。【選択図】図３
2020039697.tif 000002
【特許請求の範囲】
【請求項１】
底部に第１吸込口を有する吸込口本体と、前記吸込口本体の前記底部に着脱可能に装着される装着ノズルとを備え、
前記吸込口本体は、前記第１吸込口と連通する通風路を内部に有する第１筐体と、出力軸を有し前記第１筐体内に設けられたモータと、前記出力軸の回転力が伝達されて回転するよう前記第１筐体内における前記第１吸込口の近傍に回転可能に設けられた第１回転部材とを有し、
前記装着ノズルは、底部に第２吸込口を有する第２筐体と、前記出力軸の回転力が伝達されて回転するよう前記第２筐体内における前記第２吸込口の近傍に回転可能に設けられた第２回転部材とを有し、
前記吸込口体の前記底部に前記装着ノズルを装着することによって、前記第２吸込口が前記第１吸込口を介して前記通風路と連通するように構成されたことを特徴とする電気掃除機の吸込口体。
【請求項２】
前記モータの前記出力軸の回転力が伝達される第１回転力伝達機構部と、前記出力軸の回転力を前記第１回転力伝達機構部と協働して前記第２回転部材に伝達可能な第２回転力伝達機構部とをさらに備え、
前記吸込口本体は、前記第１回転部材として第１回転ブラシを有すると共に、前記出力軸の回転力が前記第１回転力伝達機構部を介して前記第１回転ブラシに伝達されるように構成され、
前記装着ノズルは、前記第２回転部材として第２回転ブラシを有する請求項１に記載の吸込口体。
【請求項３】
前記第１回転力伝達機構部は、前記モータの前記出力軸に設けられた出力ギアと、前記第１回転ブラシの長手方向の一端部に設けられて前記出力ギアと噛合する高トルクギアとを前記第１筐体に有し、
前記第２回転力伝達機構部は、前記高トルクギアと噛合する第１ギアと、前記第１ギアと一体回転可能な第２ギアと、前記第２ギアと噛合可能に前記第２回転ブラシの長手方向の一端部に設けられた第３ギアとを含んで構成される増速ギアを前記第２筐体に有する請求項２に記載の吸込口体。
【請求項４】
前記モータの前記出力軸の回転力が伝達される第１回転力伝達機構部と、前記出力軸の回転力を前記第１回転力伝達機構部と協働して前記第２回転部材に伝達可能な第２回転力伝達機構部とをさらに備え、
前記吸込口本体は、前記第１回転部材として駆動ローラを有すると共に、前記出力軸の回転力が前記駆動ローラを介して前記第１回転力伝達機構部に伝達されるように構成され、
前記装着ノズルは、前記第２回転部材として回転ブラシを有する請求項１に記載の吸込口体。
【請求項５】
前記第１回転力伝達機構部は、前記駆動ローラと一体回転可能に設けられた出力ギアと、前記出力ギアと噛合する高トルクギアとを前記第１筐体内に有し、
前記第２回転力伝達機構部は、前記高トルクギアと噛合する第１ギアと、前記第１ギアと一体回転可能な第２ギアと、前記第２ギアと噛合可能に前記回転ブラシの長手方向の一端部に設けられた第３ギアとを含んで構成される増速ギアを前記第２筐体に有する請求項４に記載の吸込口体。
【請求項６】
前記吸込口本体は、前方吸込口および前記前方吸込口の後方に設けられた後方吸込口を含む前記第１吸込口と、前記前方吸込口と前記後方吸込口との間に設けられた区画壁とを有すると共に、前記後方吸込口の近傍に前記第１回転部材が配置されており、
前記装着ノズルの前記第２吸込口は、前記第２回転部材の長手方向の中間部に対応する位置に領域拡大部を有すると共に、前記吸込口体の前記底部に前記装着ノズルが装着された状態において前記領域拡大部を通して前記前方吸込口の一部が外部に露出するように構成された請求項１〜５のいずれか１つに記載の吸込口体。
【請求項７】
前記装着ノズルを複数備えた請求項１〜６のいずれか１つに記載の吸込口体。
【請求項８】
請求項１〜７のいずれか１つに記載の吸込口体と、前記吸込口体に接続可能な掃除機本体とを備えた電気掃除機。
【発明の詳細な説明】
【技術分野】
【０００１】
本発明は、電気掃除機の吸込口体およびそれを備えた電気掃除機に関する。
【背景技術】
【０００２】
従来の電気掃除機の吸込口体としては、吸引空気流によって回転するタービンの回転力を利用して回転ブラシを回転させるタービンタイプ、電動モータの回転する出力軸の回転力を利用して回転ブラシを回転させる電動モータタイプ、およびタービンとモータ発電機を併用して回転ブラシを回転させるタービン・モータ発電機併用タイプが公知である。
【０００３】
タービン・モータ発電機併用タイプの吸込口体として、特許文献１には、タービンと、発電機兼モータと、回転ブラシと、複数の歯車を含む回転力伝達機構と、蓄電池と、充電回路と、切替スイッチとを備えた床用吸込具が提案されている。この床用吸込具は、次のように使用することができる。
切替スイッチにて床用吸込具の使用モードをパワーノズル（パワーブラシ）に切り替えた場合、蓄電池の電力にて発電機兼モータの出力軸を回転させ、出力軸の回転力を回転力伝達機構を介して回転ブラシに伝達して、回転ブラシを回転させる。この場合、毛足の長い絨毯の清掃に適している。
【０００４】
切替スイッチにて床用吸込具の使用モードをタービンノズルに切り替えた場合、吸引空気流によってタービンを回転させ、タービンの回転力を回転力伝達機構を介して回転ブラシに伝達して、回転ブラシを回転させる。この場合、毛足の短い絨毯またはフローリングの清掃に適している。
切替スイッチにて床用吸込具の使用モードをたたみ用に切り替えた場合、吸引空気流によってタービンを回転させ、タービンの回転力を回転力伝達機構を介して発電機兼モータの出力軸に伝達して、出力軸を回転させ、発電機兼モータにて発電した電気を充電回路を介して蓄電池に充電する。この場合、回転ブラシは回転しない。
【０００５】
また、別のタービン・モータ発電機併用タイプの吸込口体として、特許文献２には、タービンと、モータ発電機ユニットと、回転ブラシと、プーリおよびベルトを含む回転力伝達機構と、アキュームレータユニットとを備えたハイブリッド真空掃除機ノズルが提案されている。
【０００６】
このハイブリッド真空掃除機ノズルは、タービンの回転力によってモータ発電機ユニットの出力軸および回転ブラシを回転させ、モータ発電機ユニットにて発電してアキュームレータユニットに充電する発電機モードと、アキュームレータユニットからの電力にてモータ発電機ユニットの出力軸を回転させて回転ブラシを回転させるモータモード（パワーブラシ）とのいずれか一方に切り替え可能に構成されている。なお、モータモードでは、回転ブラシを回転させるモータ発電機ユニットがタービンの回転力によって補助される。
また、特許文献２には、モータと発電機を個別に設けた構成を備えたハイブリッド真空掃除機ノズルも開示されている。
【先行技術文献】
【特許文献】
【０００７】
【特許文献１】特開昭６４−４９５２６号公報
【特許文献２】特表２００８−５４３３９４号公報
【発明の概要】
【発明が解決しようとする課題】
【０００８】
特許文献１および２の吸込口体は蓄電池を備えるものであるため、吸込口体の重量が重くなって使用性が低下し、モータと発電機を個別に設けた特許文献２の吸込口体ではさらに重量が増加しかつ大型化するため使用性がさらに低下する。
また、これら従来の吸込口体は、蓄電池からの放電がなくなるとタービンのみの回転力にて回転ブラシを回転させることになるため、回転トルクが低下して絨毯清掃時における回転ブラシの掻き出し性能が低下し、毛足の長い絨毯の清掃では回転ブラシの回転が停止する場合もある。
【０００９】
また、通常、パワーブラシは、自走性を高めたい場合はブラシ密度を高めた構成とされるが、その反面ダストの掻き出し性が損なわれる。また、絨毯でのダストの掻き出し性を高めたい場合は固いブラシ毛を使用した構成とされるが、毛足の長い絨毯での使用は高負荷となり、モータのトルクが足りずに回転ブラシの回転が停止する場合がある。
【００１０】
本発明は、このような課題に鑑みなされたものであり、被清掃面での使用性を向上させることができる電気掃除機の吸込口体およびそれを備えた電気掃除機を提供することを目的とする。
【課題を解決するための手段】
【００１１】
本発明によれば、底部に第１吸込口を有する吸込口本体と、前記吸込口本体の前記底部に着脱可能に装着される装着ノズルとを備え、
前記吸込口本体は、前記第１吸込口と連通する通風路を内部に有する第１筐体と、出力軸を有し前記第１筐体内に設けられたモータと、前記出力軸の回転力が伝達されて回転するよう前記第１筐体内における前記第１吸込口の近傍に回転可能に設けられた第１回転部材とを有し、
前記装着ノズルは、底部に第２吸込口を有する第２筐体と、前記出力軸の回転力が伝達されて回転するよう前記第２筐体内における前記第２吸込口の近傍に回転可能に設けられた第２回転部材とを有し、
前記吸込口体の前記底部に前記装着ノズルを装着することによって、前記第２吸込口が前記第１吸込口を介して前記通風路と連通するように構成された電気掃除機の吸込口体が提供される。
【発明の効果】
【００１２】
本発明の電気掃除機の吸込口体によれば、吸込口本体に装着した装着ノズルにて被清掃面上のダストを吸引除去する高速回転での使用形態と、装着ノズルを取り外した吸込口本体にて被清掃面上のダストを吸引除去する高トルクでの使用形態とのいずれか一方の使用形態に切り替えて清掃することができる。例えば、被清掃面の種類に応じて高速回転での使用形態と高トルクでの使用形態とのいずれか一方を選択することが可能となる。
【図面の簡単な説明】
【００１３】
【図１】本発明の電気掃除機の吸込口体の実施形態１を示す斜視図である。
【図２】図１の吸込口体の左側面図である。
【図３】実施形態１の吸込口体の内部構造を説明する概略平断面図である。
【図４】実施形態１の吸込口体における吸込口本体を示す斜視図である。
【図５】図４の吸込口本体の左側面図である。
【図６】図４の吸込口本体の平面図である。
【図７】図４の吸込口本体の底面図である。
【図８】図４の吸込口本体の正面図である。
【図９】図８の吸込口体のＩ−Ｉ線矢視断面図である。
【図１０】図８の吸込口体のＩＩ−ＩＩ線矢視断面図である。
【図１１】実施形態１の吸込口体における装着ノズルを示す平面図である。
【図１２】図１１の装着ノズルのＩ−Ｉ線矢視断面図である。
【図１３】図１１の装着ノズルの正面図である。
【図１４】図１１の装着ノズルの左側面図である。
【図１５】図１１の装着ノズルの右側面図である。
【図１６】図１１の装着ノズルの底面図である。
【図１７】図１１の装着ノズルの筐体上部であって増速ギアが作動状態であるときの（Ａ）は平面図、（Ｂ）は正面図、（Ｃ）は右側面図、（Ｄ）は左側面図である。
【図１８】図１１の装着ノズルの筐体上部であって増速ギアが非作動状態であるときの（Ａ）は平面図、（Ｂ）は正面図である。
【図１９】図１の吸込口体の平面図である。
【図２０】図１９の吸込口体のＩ−Ｉ線矢視断面図である。
【図２１】図１の吸込口体の底面図である。
【図２２】図１の吸込口体の正面図である。
【図２３】図２２の吸込口体のＩ−Ｉ線矢視断面図である。
【図２４】図２２の吸込口体のＩＩ−ＩＩ線矢視断面図である。
【図２５】図２２の吸込口体のＩＩＩ−ＩＩＩ線矢視断面図である。
【図２６】図２２の吸込口体のＩＶ−ＩＶ線矢視断面図である。
【図２７】実施形態２の吸込口体の内部構造を説明する概略平断面図である。
【発明を実施するための形態】
【００１４】
（実施形態１）
図１は本発明の電気掃除機の吸込口体の実施形態１を示す斜視図であり、図２は図１の吸込口体の左側面図であり、図３は実施形態１の吸込口体の内部構造を説明する概略平断面図である。なお、ユーザーが電気掃除機を使用する状態を基準にして、図１においては前後方向、左右方向および上下方向を矢印で示し、図３においては前後方向および左右方向を矢印にて示している。
【００１５】
本発明の電気掃除機の吸込口体１は、スティック型、キャニスター型、アップライト型等の各種電気掃除機の吸込口体として使用可能であり、次の構成を備える。
すなわち、この吸込口体１は、底部に第１吸込口（後述の前方吸込口１１ｄ11および後方吸込口１１ｄ12）を有する吸込口本体１０と、吸込口本体１０の底部に着脱可能に装着される装着ノズル２０とを備え、吸込口本体１０に装着した装着ノズル２０にて被清掃面上のダストを吸引除去する使用形態（以下、「高速回転での使用形態」という）と、装着ノズル２０を取り外した吸込口本体１０にて被清掃面上のダストを吸引除去する使用形態（以下、「高トルクでの使用形態」という）とのいずれか一方の使用形態に切り替えて清掃することができる。
例えば、吸込口本体の第１回転部材として毛足の長い絨毯の清掃に適した回転ブラシを用い、装着ノズルの第２回転部材としてフローリング、たたみ、壁面、毛足の短い絨毯等の清掃に適した回転ブラシを用いれば、毛足の長い絨毯を清掃する際は回転ブラシ（第１回転部材）が高トルクで回転する高トルクでの使用形態を選択し、フローリング、たたみ、壁面、毛足の短い絨毯等を清掃する際は回転ブラシ（第２回転部材）が高速で回転する高速回転での使用形態を選択することができる。
以下、本発明の電気掃除機の吸込口体１の各構成について詳しく説明する。
【００１６】
＜吸込口本体＞
【００１７】
図４は実施形態１の吸込口体における吸込口本体を示す斜視図であり、図５は図４の吸込口本体の左側面図である。また、図６は図４の吸込口本体の平面図であり、図７は図４の吸込口本体の底面図であり、図８は図４の吸込口本体の正面図である。また、図９は図８の吸込口体のＩ−Ｉ線矢視断面図であり、図１０は図８の吸込口体のＩＩ−ＩＩ線矢視断面図である。
図３〜図１０に示すように、吸込口本体１０は、第１回転部材としての第１回転ブラシ１１ａ、減速ギアを内蔵するギアードモータ１１ｂ、第１回転力伝達機構部１１ｃ等を内蔵する駆動部１１と、駆動部１１に接続された関節部１２と、関節部１２に接続された接続管部１３とを有する。
【００１８】
駆動部１１は、底部に前方吸込口１１ｄ11および後方吸込口１１ｄ12を有する下ケース１１ｄ1と、下ケース１１ｄ1の上端縁と嵌合する上ケース１１ｄ2とを含む駆動部筐体１１ｄを備える。
【００１９】
下ケース１１ｄ1は、後方吸込口１１ｄ12の上方に第１回転ブラシ１１ａを収納する前方スペースと、前方スペースの左後方にギアードモータ１１ｂを収納し固定する左後方スペースとを有すると共に、前方スペースにおける後方吸込口１１ｄ12の左右位置には回転ブラシ１１ａの軸部１１ａ1を支持する一対の支持部１１ｄ13、１１ｄ14を有している。なお、左後方スペースには、モータの駆動を制御する図示しないモータ駆動回路が設けられている。
【００２０】
また、下ケース１１ｄ1において、底部の第２吸込口２１ａ1の周囲には第１吸込口１１ｄ11と第１回転ブラシ１１ａとを隔てる区画壁１１ｄ15が設けられると共に、区画壁１１ｄ15の後部には第２吸込口２１ａ1と後述の通風路１１ｄ18とを連通させる通風口１１ｄ151が設けられている（図１０参照）。また、下ケース１１ｄ1の左側面の前方位置には、装着ノズル２０の後述する第２回転力伝達機構部２３の増速ギア２３ａの第１ギア２３ａ1を挿通させる挿通孔１１ｄ16が設けられている。なお、この挿通孔１１ｄ16からゴミが入らないように、第１ギア２３ａ1が挿通されていない際には、挿通孔１１ｄ16を閉じる蓋を設けておいてもよい。
【００２１】
また、吸込口本体１０は、その後部に円筒接続部１１ｄ17が設けられている。このように構成された吸込口本体１０において、前方吸込口１１ｄ11および後方吸込口１１ｄ12から円筒接続部１１ｄ17までの間の内部空間はダストを含む空気が流通する通風路１１ｄ18となっている。なお、ギアードモータ１１ｂにダストが付着するのを抑制するために、駆動部筐体１１ｄ内にモータカバーを設けてもよい。
【００２２】
第１回転ブラシ１１ａは、前記軸部１１ａ1と、軸部１１ａ1の胴部（両端部を除く部分）の外周部に設けられたブラシ部１１ａ2とを有する。
軸部１１ａ1は、その両端部が前記一対の支持部１１ｄ13、１１ｄ14に対して摺動回転する、あるいは両端部が一対の支持部１１ｄ13、１１ｄ14に固定され、両端部の間の胴部がベアリングを介して両端部に対して回転するように構成される。なお、軸部１１ａ1の左側の端部には、第１回転力伝達機構部１１ｃの後述する高トルクギア１１ｃ2が一体回転可能に設けられている。
【００２３】
ブラシ部１１ａ2は、例えば実施形態１の場合、軸部１１ａ1の胴部の外周部に設けられた複数の螺旋溝に挿入された複数の帯状ブラシを有し、各帯状ブラシは帯状基台部に固いブラシ毛が植設されたものである。なお、図３等では第１回転ブラシ１１ａのブラシ部１１ａ2および後述の第２回転ブラシ２２のブラシ部２２ｂを簡略化して図示している。
【００２４】
第１回転力伝達機構部１１ｃは、ギアードモータ１１ｂの出力を第１回転ブラシ１１ａに伝達するよう構成されている。実施形態１の場合、第１回転力伝達機構部１１ｃは、ギアードモータ１１ｂの出力軸１１ｂ1に設けられた出力ギア１１ｃ1と、第１回転ブラシ１１ａの長手方向の一端部（左端部）に設けられて出力ギア１１ｃ1と噛合する大径の前記高トルクギア１１ｃ2とを駆動部筐体１１ｄ内に有している。
【００２５】
高トルクギア１１ｃ2は第１回転ブラシ１１ａの外径よりも少し小さい外径寸法に設定されている。実施形態１の場合、吸込口本体１０が対象とする被清掃面の中の絨毯（特に、毛足の長い絨毯）などは高トルクを必要とするため、被清掃面上を吸込口本体１０が走行する際に第１回転ブラシ１１ａと共に高トルクギア１１ｃ2が絨毯に接触した場合、高トルクギア１１ｃ2も吸込口本体１０の自走性に貢献する。なお、後述する装着ノズル２０を装着せずに吸込口本体１０にてフローリング、たたみ、壁面等の被清掃面上を清掃した場合、高トルクギア１１ｃ2は被清掃面に接触しないようにすることが好ましい。このようにすれば、高トルクギア１１ｃ2にて被清掃面が傷付く可能性を低減できる。
【００２６】
関節部１２は、前後方向の軸心Ｐ1を中心として吸込口本体１０の円筒形接続部１１ｄ16内に回動可能かつ気密に嵌め込まれており、外部に露出した上部には切欠き部１２ａが設けられると共に、切欠き部１２ａの後方には球面状内面部１２ｂが設けられている（図１０参照）。
【００２７】
接続管部１３は、左右方向の軸心Ｐ2を中心として揺動可能に関節部１２に嵌め込まれた前端部１３ａと、前端部１３ａに連設された中間部１３ｂと、中間部１３ｂに連設された後端部１３ｃとを有する（図５、図１０参照）。
前端部１３ａの上半部外面１３ａ1は、関節部１２に対して接続管部１３が軸心Ｐ2を中心に揺動する際に関節部１２の切欠き部１２ａと気密に摺接する球面状に形成されている。また、前端部１３ａの下半部には、接続管部１３が軸心Ｐ2を中心に揺動する際に関節部１２の球面状の内面部１２ｂと気密に摺接する摺接部１３ａ2が設けられている。
【００２８】
また、接続管部１３は、図示しない一対の雄型端子部が中間部１３ｂと後端部１３ｃとの間の段差部から後方へ突出するように設けられている。そのため、例えば掃除機本体と接続された延長パイプの先端部内に接続管部１３の後端部１３ｃが挿入されて接続すると、延長パイプに設けられた一対の雌型端子部に接続管部１３の一対の雄型端子部が電気的に接続する。なお、一対の雄型端子部は、図示しないリード線を介して吸込口本体１０内の前記モータ駆動回路と電気的に接続されている。
【００２９】
＜装着ノズル＞
図１１は実施形態１の吸込口体における装着ノズルを示す平面図であり、図１２は図１１の装着ノズルのＩ−Ｉ線矢視断面図であり、図１３は図１１の装着ノズルの正面図である。また、図１４は図１１の装着ノズルの左側面図であり、図１５は図１１の装着ノズルの右側面図であり、図１６は図１１の装着ノズルの底面図である。また、図１７は図１１の装着ノズルの筐体上部であって増速ギアが作動状態であるときの（Ａ）は平面図、（Ｂ）は正面図、（Ｃ）は右側面図、（Ｄ）は左側面図である。また、図１８は図１１の装着ノズルの筐体上部であって増速ギアが非作動状態であるときの（Ａ）は平面図、（Ｂ）は正面図である。なお、ユーザーが電気掃除機を使用する状態を基準にして、図１１においては前後方向および左右方向を矢印にて示している。
【００３０】
図１〜図３および図１１〜図１８に示すように、装着ノズル２０は、底部に第２吸込口２１ａ1を有する第２筐体２１と、ギアードモータ１１ｂの出力軸１１ｂ1の回転力が伝達されて回転するよう第２筐体２１内における第２吸込口２１ａ1の近傍に回転可能に設けられた第２回転部材としての第２回転ブラシ２２と、第２回転力伝達機構部２３とを有する。
【００３１】
第２筐体２１は、下ケース２１ａおよび上ケース２１ｂを有してなる。
下ケース２１ａは、平面視略Ｔ形の平状板部材にて構成され、その前端部に設けられた前記第２吸込口２１ａ1と、後端部に設けられた孔部およびその孔部に後輪２４を左右方向の軸心Ｐ3を中心に回転可能に枢着する軸を含む枢着部２１ａ2（図１６参照）と、後輪２４を上方から覆う後輪カバー２１ａ3とを有している。
【００３２】
第２吸込口２１ａ1は、左右方向（矢印Ｙ方向）の中間部に後方（矢印Ｘ方向）へ領域を拡大した平面視台形の領域拡大部２１ａ11を有している。この領域拡大部２１ａ11は、装着ノズル２０に装着された吸込口本体１０の前方吸込口１１ｄ11と重なって連通する。なお、領域拡大部２１ａ11は後方吸込口体１１ｄ12とは重ならない。
【００３３】
また、下ケース２１ａにおいて、前端部の下面には第２吸込口２１ａ1の前端開口部に沿って複数の切欠き２１ａ12が設けられており、被清掃面の清掃時に装着ノズル２０の前方のダストを複数の切欠き２１ａ12を通して第２吸込口２１ａ1へ導くようにしている。
【００３４】
上ケース２１ｂは、下ケース２１ａにおける第２吸込口２１ａ1の上方を覆うように下ケース２１ａに着脱可能に取り付けられる部材であり、左右方向に細長い下方開口ドーム形の回転ブラシカバー部２１ｂ1と、回転ブラシカバー部２１ｂ1の左端部に連設されて第２回転力伝達機構部２３の後述する増速ギア２３ａの第２ギア２３ａ3を上方から覆う下方開口状のギアカバー部２１ｂ2とを有する（図２５、図２６参照）。また、ギアカバー部２１ｂ2の上壁部および左側壁部には、ギアカバー部２１ｂ2内に収納した第２回転力伝達機構部２３の後述するギア移動操作レバー２３ｂを外部へ突出させるレバー挿通孔２１ｂ21、２１ｂ22が形成されている。
【００３５】
第２回転力伝達機構部２３は、前記増速ギア２３ａと、前記ギア移動操作レバー２３ｂとを備える。
増速ギア２３ａは、装着ノズル２０に装着された吸込口本体１０の高トルクギア１１ｃ2と噛合する第１ギア２３ａ1と、第１ギア２３ａ1と連結軸２３ａ2を介して一体回転可能な第２ギア２３ａ3と、第２ギア２３ａ3と噛合可能に第２回転ブラシ２２の長手方向の左端部（軸部２２ａ）に設けられた第３ギア２３ａ4とを有する。
第１ギア２３ａ1は高トルクギア１１ｃ2よりも小径のギアにて構成され、第２ギア２３ａ3は第１ギア２３ａ1および第３ギア２３ａ4よりも大径のギアにて構成されている（図３参照）。
【００３６】
増速ギア２３ａにおいて、連結軸２３ａ2はギアカバー部２１ｂ2の右側壁部に形成された孔部を回転可能かつ左右方向（矢印Ｙ方向）にスライド可能に挿通し、ギアカバー部２１ｂ2内の連結軸２３ａ2の左端部に第２ギア２３ａ3が連結し、連結軸２３ａ2の右端部に第１ギア２３ａ1が連結している。
【００３７】
ギア移動操作レバー２３ｂは、平行な一対の板部２３ｂ11を含む倒立Ｕ形の保持部２３ｂ1と、保持部２３ｂ1の上部に連設されてギアカバー部２１ｂ2の上方に開口するレバー挿通孔２１ｂ21から外部へ突出する操作突起部２３ｂ2と、左側の板部２３ｂ11の上部に連設されてギアカバー部２１ｂ2の左側方に開口するレバー挿通孔２１ｂ22に挿通されたスライド片部２３ｂ3とを有する（図１２参照）。
保持部２３ｂ1において、一対の板部２３ｂ11の間に第２ギア２３ａ3が配置され、右の板部２３ｂ11に形成された孔部に連結軸２３ａ2が回転可能に挿通している。
【００３８】
このように構成された第２回転力伝達機構部２３において、第１ギア２３ａ1と連結軸２３ａ2と第２ギア２３ａ3とからなるギア部品２３ｘ（図３、図１２参照）は、ギアカバー部２１ｂ2およびギア移動操作レバー２３ｂによって左右方向の軸心Ｐ4を中心として回転可能に保持される。
また、図１７（Ａ）と（Ｂ）に示すようにギア移動操作レバー２３ｂを右へスライドさせることによりギア部品２３ｘは右へ移動し、図１８（Ａ）と（Ｂ）に示すようにギア移動操作レバー２３ｂを左へスライドさせることによりギア部品２３ｘは左へ移動する。このギア移動操作は、吸込口本体１０に対する装着ノズル２０の着脱時に行われるが、これについて詳しくは後述する。
【００３９】
第２回転ブラシ２２は、第１回転ブラシ１１ａと同様の軸部２２ａおよびブラシ部２２ｂを含む構成することができる。但し、第２回転ブラシ２２のブラシ部２２ｂは第１回転ブラシ１１ａのブラシ部１１ａ2よりも軟らかくかつ密度の高い縮れ毛が用いられる。また、ブラシ部２２ｂにはゴムブレードが併用されてもよい。
なお、第２回転ブラシ２２の軸部２２ａの左右両端部も、第１回転ブラシ１１ａと同様に下ケース２１ａに回転可能に支持されている。
【００４０】
＜吸込口本体に対する操作ノズルの着脱操作および清掃形態について＞
図１９は図１の吸込口体の平面図であり、図２０は図１９の吸込口体のＩ−Ｉ線矢視断面図であり、図２１は図１の吸込口体の底面図であり、図２２は図１の吸込口体の正面図である。また、図２３は図２２の吸込口体のＩ−Ｉ線矢視断面図であり、図２４は図２２の吸込口体のＩＩ−ＩＩ線矢視断面図であり、図２５は図２２の吸込口体のＩＩＩ−ＩＩＩ線矢視断面図であり、図２６は図２２の吸込口体のＩＶ−ＩＶ線矢視断面図である。
【００４１】
図１〜図３および図１９〜図２６に示すように、吸込口体１の状態、すなわち吸込口本体１０に装着ノズル２０が装着された高速回転での使用形態では、装着ノズル２０の下ケース２１ａに吸込口本体１０が載って連結されている。このとき、装着ノズル２０の下ケース２１ａの上面と吸込口本体１０の下面に係脱可能な係合部を設け、係合部が互いに結合することにより吸込口本体１０と装着ノズル２０とが互いに連結するようにしてもよい。また、装着ノズル２０の下ケース２１ａの後部にフットペダルを設け、このフットペダルをユーザーが踏むと前記係合部の結合が解除し、それによって吸込口本体１０と装着ノズル２０とが分離するように構成してもよい。
【００４２】
高速回転での使用形態において、装着ノズル２０の第２吸込口２１ａ1の領域拡大部２１ａ11は吸込口本体１０の前方吸込口１１ｄ11と重なるため、図２６に示すように吸引時には被清掃面上のダストを含む空気が第２吸込口２１ａ1の領域拡大部２１ａ11から前方吸込口１１ｄ11を通って通風路１１ｄ18へ流入し（矢印Ｆ1）、通風路１１ｄ18から関節部１２および接続管部１３を通り（矢印Ｆ2）、接続管部１３と接続された図示しない延長パイプを介してまたは介さずに掃除機本体へ送られて、掃除機本体に設けた集塵部（例えば、紙パックやサイクロン掃除機であれば集塵装置）にダストが捕集される。このとき、図２１に示すように、領域拡大部２１ａ11は、後方吸込口１１ｄ12とは重ならず、かつ第２吸込口２１ａ1の長手方向（左右方向）の中間部に設けられているため、第２回転ブラシ２２の長手方向（左右方向）の中間部の吸引力を高めることができる。
【００４３】
また、高速回転での使用形態において、吸込口本体１０の高トルクギア１１ｃ2と装着ノズル２０の増速ギア２３ａの第１ギア２３ａ1とが噛合している。このとき、ギア移動操作レバー２３ｂは右側（噛合側）に移動している（図１９、図２０参照）。
そのため、掃除機本体側の操作スイッチを操作してギアードモータ１１ｂを駆動させると、ギアードモータ１１ｂの出力軸１１ｂ1が回転し、その回転力が第１回転力伝達機構部１１ｃの出力ギア１１ｃ1および高トルクギア１１ｃ2に伝達され、さらに第２回転力伝達機構部２３の増速ギア２３ａの第１ギア２３ａ1、第２ギア２３ａ3および第３ギア２３ａ4に伝達され、それによって第２回転ブラシ２２が矢印Ｇ方向に回転する（図３、図２３参照）。
【００４４】
このとき、増速ギア２３ａにより第２回転ブラシ２２の回転速度はギアードモータ１１ｂの出力軸１１ｂ1の回転速度よりも増速され、かつ第２回転ブラシ２２のトルクはギアードモータ１１ｂの出力軸１１ｂ1のトルクよりも低下している。また、高トルクギア１１ｃ2が回転することにより第１回転ブラシ１１ａも回転するが、第１回転ブラシ１１ａのブラシ毛が装着ノズル２０の下ケース２１ａの天面側に摺接して摩擦熱が生じないようこれらの間には適度な隙間が設けられている。また、このとき、後方吸込口１１ｄ12は、装着ノズル２０の下ケース２１ａにより塞がれている。
【００４５】
このように、第２回転ブラシ２２はギアードモータ１１ｂの出力軸１１ｂ1よりも高速かつ低トルクで回転するため、高速回転での使用形態では回転する第２回転ブラシ２２との摩擦抵抗が小〜中程度の被清掃面、例えば、フローリング、たたみ、壁面、布団、シーツ、毛布、毛足の短い絨毯等の被清掃面の清掃に好適である。
【００４６】
一方、回転する第２回転ブラシ２２との摩擦抵抗が大きい被清掃面、例えば、毛足の長い絨毯を清掃すると、ギアードモータ１１ｂの高負荷がかかり、第２回転ブラシ２２の回転が停止または低下し、かつ第２回転ブラシ２２の回転による吸込口体１の自走性が低下する場合がある。そのため、毛足の長い絨毯といった被清掃面の清掃には次に説明する高トルクでの使用形態が適している。
【００４７】
高速回転での使用形態から高トルクでの使用形態に切り替える場合、第２回転ブラシ２２の停止状態において、吸込口本体１０の右側（噛合側）に移動しているギア移動操作レバー２３ｂ（図１７（Ａ）および（Ｂ）参照）を左側（離脱側）へ移動させる（図１８（Ａ）および（Ｂ）参照）。これにより、増速ギア２３ａのギア部品２３ｘが右側（噛合側）から左側（離脱側）へ移動するため、ギア部品２３ｘの第１ギア２３ａ1が高トルクギア１１ｃ2から離脱する（図３参照）。このとき、ギア移動操作レバー２３ｂを左側（離脱側）へ移動させると、レバー挿通孔２１ｂ22に挿通されたスライド片部２３ｂ3がレバー挿通孔２１ｂ22から外部へ突出する。スライド片部２３ｂ3がレバー挿通孔２１ｂ22から外部へ突出することにより、ユーザーは第２回転力伝達機構部２３のギア（第１ギア２３ａ1）が第１回転力伝達機構部１１ｃのギア（高トルクギア１１ｃ2）から離脱したことを目視にて認識できる。
【００４８】
その後、吸込口本体１０と装着ノズル２０とを連結している係合部（不図示）の係合を解除し、吸込口本体１０に対して装着ノズル２０を左へスライドさせることにより、吸込口本体１０から装着ノズル２０を取り外す。このとき、吸込口本体１０内に挿入されていたギア部品２３ｘの第１ギア２３ａ1が吸込口本体１０の挿通孔１１ｄ16（図４参照）から外部へ抜け出る。
【００４９】
このようにして装着ノズル２０が取り外された吸込口本体１０が高トルクでの使用形態であり（図４〜図１０参照）、ギアードモータ１１ｂを駆動させることにより、ギアードモータ１１ｂの出力軸１１ｂ1が回転し、その回転力が第１回転力伝達機構部１１ｃの出力ギア１１ｃ1および高トルクギア１１ｃ2に伝達されて第１回転ブラシ１１ａが回転する。このとき、第１回転ブラシ１１ｂのトルクはギアードモータ１１ｂの出力軸１１ｂ1のトルクおよび回転速度と同等であるため、第１回転ブラシ１１ｂは第２回転ブラシ２２よりもトルクが増大しかつ回転速度が低下している。
【００５０】
したがって、高トルクでの使用形態では、高速回転での使用形態よりも増大したトルクで回転する第１回転ブラシ１１ｂによって毛足の長い絨毯上でも停止することなく自走しかつダストを掻き出しながら吸引除去することができる。このとき、第１回転ブラシ１１ｂによって掻き出されたダストは後方吸込口１１ｄ12から通風路１１ｄ18へ流入すると共に、前方吸込口１１ｄ11からもダストが吸引されて通風路１１ｄ18に流入する。
なお、高トルクでの使用形態（吸込口本体１０）で毛足の短い絨毯上を清掃してもよい。
【００５１】
装着ノズル２０を吸込口本体１０に装着する場合は、装着ノズル２０を取り外す手順と逆に行えばよい。この際、ギア移動操作レバー２３ｂのスライド片部２３ｂ3がレバー挿通孔２１ｂ22から外部へ突出したままであると掃除のときに邪魔になる。これにより、ユーザーは、ギア移動操作レバー２３ｂが左側（離脱側）にあるため、ギア移動操作レバー２３ｂを右側（噛合側）へ移動させて第２回転力伝達機構部２３のギア（第１ギア２３ａ1）を第１回転力伝達機構部１１ｃのギア（高トルクギア１１ｃ2）に噛合させる必要があることを目視にて認識することができる。
【００５２】
（実施形態２）
図２７は実施形態２の吸込口体の内部構造を説明する概略平断面図である。なお、ユーザーが電気掃除機を使用する状態を基準にして、図２７においては前後方向および左右方向を矢印にて示している。また、図２７において、図３中の要素と同様の要素には同一の符号を付している。
【００５３】
図２７に示すように、実施形態２の吸込口体１０１は、駆動ローラ１１１ａを有する吸込口本体１１０と、この吸込口本体１１０に着脱可能に装着される実施形態１と概ね同様の装着ノズル１２０とを備える。
以下、実施形態２における実施形態１とは異なる点を主に説明する。
【００５４】
実施形態２において、吸込口本体１１０は、その駆動部筐体１１１ｄの底部に、実施形態１と同様の前方吸込口１１ｄ11と、実施形態１の後方吸込口１１ｄ12（図３参照）よりも細い後方吸込口１１１ｄ12と、後方吸込口１１１ｄ12の左右長手方向の中間位置の後方に設けられて駆動ローラ１１１ａの下部を外部へ突出させる開口部１１１ｄ13とを有している。なお、後方吸込口１１１ｄ12の位置には実施形態１の第１回転ブラシ１１ａは設けられていない。
【００５５】
駆動ローラ１１１ａは、左右方向（矢印Ｙ方向）の軸心Ｐ5を中心として回転可能に駆動部筐体１１１ｄの開口部１１１ｄ13の近傍に設けられている。
この駆動ローラ１１１ａは、例えば、ローラ本体１１１ａ1と、ローラ本体１１１ａ1の外周面に被せられた滑り止め用の円筒ゴム材１１１ａ2とを有してなる。
ギアードモータ１１ｂは、駆動部筐体１１１ｄの底部の右スペースに固定されており、その出力軸１１ｂ1が駆動ローラ１１１ａと前記軸心Ｐ5上で連結している。
【００５６】
また、駆動ローラ１１１ａが左右方向の連結軸１１１ｂ2を介して出力ギア１１ｃ1と連結すると共に、実施形態１の高トルクギア１１ｃ2（図３参照）と同等の中継ギア１１１ｃ2が、出力ギア１１ｃ1および増速ギア２３ａの第１ギア２３ａ1と噛合するように後方吸込口１１１ｄ12の左位置に回転可能に設けられている。
実施形態２の場合、駆動ローラ１１１ａ、連結軸１１１ｂ2、出力ギア１１ｃ1および中継ギア１１１ｃ2で第１回転力伝達機構１１１ｃが構成されている。
なお、実施形態２の場合も実施形態１と同様に、吸込口本体１１０内における前方吸込口１１ｄ11と後方吸込口１１１ｄ12との間に区画壁が設けられてもよく、さらには駆動ローラ１１１ａを覆うカバーを設けてもよい。
【００５７】
装着ノズル１２０の上に支持される吸込口本体１１０において、駆動ローラ１１１ａは装着ノズル１２０に接触していない。そのため、図２７に示す高速回転での使用形態で清掃する際、ギアードモータ１１ｂの出力軸１１ｂ1が回転して駆動ローラ１１１ａが回転しても、駆動ローラ１１１ａと装着ノズル１２０との間に摩擦による摩耗および熱は発生しない。
【００５８】
このように構成された実施形態２の吸込口体１０１によれば、高速回転での使用形態では実施形態１と同様に回転する第２回転ブラシ２２にて被清掃面（例えば、フローリング、たたみ、壁面、毛足の短い絨毯、布団、シーツ、毛布）上のダストを掻き出しながら領域拡大部２１ａ11を含む第２吸込口２１ａ1に送り込んで吸引除去することができる。
【００５９】
また、毛足の長い絨毯を清掃する際は、実施形態１と同様の手順で装着ノズル１２０を吸込口本体１１０から取り外し、吸込口本体１１０を毛足の長い絨毯上で走行させながらダストを吸引除去することができる。このとき、駆動ローラ１１１ａが毛足の長い絨毯上を転動するため、吸込口本体１１０の自走性は良好である。
なお、高トルクでの使用形態（吸込口本体１１０）で毛足の短い絨毯上を清掃してもよい。
【００６０】
（実施形態３）
実施形態３の吸込口体は、１つの吸込口本体と、２つの装着ノズルとを備える。
この場合、吸込口本体としては、実施形態１または２の吸込口本体と同様に構成することができる。また、２つの装着ノズルも、実施形態１または２の装着ノズルと同様に構成することができ、各装着ノズルにおける回転ブラシの構成のみを異ならせるようにしてもよい。
【００６１】
実施形態３の吸込口体によれば、一方の装着ノズルをフローリング、たたみ、毛足の短い絨毯、壁面等の一般清掃用とし、他方のノズルを布団、毛布、シーツ等の寝具清掃専用として使い分けることができるため、寝具清掃には専用のものを使用したいというユーザーの要望に応えることができる。
実施形態３の場合、ユーザーが識別しやすいように一般清掃用装着ノズルの筐体の色と寝具清掃専用装着ノズルの筐体の色を異ならせてもよい。また、一般清掃用装着ノズルの回転ブラシには磨き効果が得られやすい密度の高い縮れたブラシ毛や掻き出し効果が得られやすい固いブラシ毛等を用い、寝具清掃専用装着ノズルの回転ブラシには叩き効果が得られやすい固いブラシ毛やブレード等を用いてもよい。
【００６２】
（他の実施形態）
実施形態１では、モータとしてギアードモータ１１ｂを用いた場合を例示したが、一般的なモータを用いてもよい。この場合、例えば、一般的なモータの出力軸に小径出力ギアを取り付け、小径出力ギアと高トルクギア１１ｃ2との間にこれらに噛合する大径の中継高トルクギアを設ければよい。
【００６３】
（まとめ）
本発明の電気掃除機の吸込口体は、底部に第１吸込口を有する吸込口本体と、前記吸込口本体の前記底部に着脱可能に装着される装着ノズルとを備え、
前記吸込口本体は、前記第１吸込口と連通する通風路を内部に有する第１筐体と、出力軸を有し前記第１筐体内に設けられたモータと、前記出力軸の回転力が伝達されて回転するよう前記第１筐体内における前記第１吸込口の近傍に回転可能に設けられた第１回転部材とを有し、
前記装着ノズルは、底部に第２吸込口を有する第２筐体と、前記出力軸の回転力が伝達されて回転するよう前記第２筐体内における前記第２吸込口の近傍に回転可能に設けられた第２回転部材とを有し、
前記吸込口体の前記底部に前記装着ノズルを装着することによって、前記第２吸込口が前記第１吸込口を介して前記通風路と連通するように構成されたものである。
【００６４】
本発明の電気掃除機の吸込口体は、次のＡタイプ（実施形態１）およびＢタイプ（実施形態２）のように構成されてもよい。
【００６５】
〔Ａタイプ〕
前記モータの前記出力軸の回転力が伝達される第１回転力伝達機構部と、前記出力軸の回転力を前記第１回転力伝達機構部と協働して前記第２回転部材に伝達可能な第２回転力伝達機構部とをさらに備え、
前記吸込口本体は、前記第１回転部材として第１回転ブラシを有すると共に、前記出力軸の回転力が前記第１回転力伝達機構部を介して前記第１回転ブラシに伝達されるように構成され、
前記装着ノズルは、前記第２回転部材として第２回転ブラシを有するものであってもよい。
この構成によれば、吸込口本体の第１回転ブラシと装着ノズルの第２回転ブラシのそれぞれの回転速度およびトルクを異ならせるように構成することが可能となる。
【００６６】
前記第１回転力伝達機構部は、前記モータの前記出力軸に設けられた出力ギアと、前記第１回転ブラシの長手方向の一端部に設けられて前記出力ギアと噛合する高トルクギアとを前記第１筐体に有し、
前記第２回転力伝達機構部は、前記高トルクギアと噛合する第１ギアと、前記第１ギアと一体回転可能な第２ギアと、前記第２ギアと噛合可能に前記第２回転ブラシの長手方向の一端部に設けられた第３ギアとを含んで構成される増速ギアを前記第２筐体に有するものであってもよい。
この構成によれば、例えば、第２回転ブラシを高速回転（低トルク）仕様とし、かつ第１回転ブラシを高トルク（低速回転）仕様とした場合、フローリング、たたみ、壁面、布団、毛布、毛足の短い絨毯といった比較的高トルクを必要としない被清掃面に対しては高速回転での使用形態（第２回転ブラシ）にて清掃し、毛足の長い絨毯のようにモータに高負荷がかかる被清掃体に対しては高トルクでの使用形態（第１回転ブラシ）にて清掃するといった次のような使い分けが可能となる。
【００６７】
高速回転での使用形態では、吸い付きやすい布団に対しては装着ノズルを小さいストロークで移動させてもその間に第２回転ブラシが高速回転するため、十分な除塵効果を得ることができる。また、フローリング、たたみ、壁面等に対しては高速回転する第２回転ブラシによる磨き効果を得ることができると共に、毛布、毛足の短い絨毯等に対しては第２回転ブラシによるダストの掻き出し効果を得ることができる。また、高速回転での使用形態の場合、第２回転ブラシの掻き出し性を重視するなら固い直毛のブラシ毛を用い、磨き性を重視するなら軟らかい縮れたブラシ毛を用いることができ、複数種類のブラシ毛を１本の第２回転ブラシに用いてもよい。
【００６８】
高トルクでの使用形態では、毛足の長い絨毯に対して第１回転ブラシがしっかり回転してダストの掻き出し効果を得ることができると共に、走行抵抗の大きい毛足の長い絨毯に対して第１回転ブラシによる吸込口本体の自走性を得ることができる。また、高トルクでの使用形態の場合、第１回転ブラシの掻き出し性を重視するなら固い直毛のブラシ毛を用い、自走性を重視するなら密度の高いブラシ毛を用いることができ、複数種類のブラシ毛を１本のサブ回転ブラシに用いてもよい。
【００６９】
なお、Ａタイプの吸込口体は、第１回転ブラシを高速回転（低トルク）仕様とし、かつ第２回転ブラシを高トルク（低速回転）仕様とすることも可能である。この場合、実施形態１（図３参照）で説明したギアードモータ１１ｂよりも高速で回転する一般的なモータが用いられると共に、増速ギア２３ａの替わりに減速ギアが用いられる。
【００７０】
〔Ｂタイプ〕
前記モータの前記出力軸の回転力が伝達される第１回転力伝達機構部と、前記出力軸の回転力を前記第１回転力伝達機構部と協働して前記第２回転部材に伝達可能な第２回転力伝達機構部とをさらに備え、
前記吸込口本体は、前記第１回転部材として駆動ローラを有すると共に、前記出力軸の回転力が前記駆動ローラを介して前記第１回転力伝達機構部に伝達されるように構成され、
前記装着ノズルは、前記第２回転部材として回転ブラシを有するものであってもよい。
この構成によれば、吸込口本体の駆動ローラと装着ノズルの回転ブラシのそれぞれの回転速度およびトルクを異ならせるように構成することが可能となる。
【００７１】
前記第１回転力伝達機構部は、前記駆動ローラと一体回転可能に設けられた出力ギアと、前記出力ギアと噛合する高トルクギアとを前記第１筐体内に有し、
前記第２回転力伝達機構部は、前記高トルクギアと噛合する第１ギアと、前記第１ギアと一体回転可能な第２ギアと、前記第２ギアと噛合可能に前記回転ブラシの長手方向の一端部に設けられた第３ギアとを含んで構成される増速ギアを前記第２筐体に有するものであってもよい。
この構成によれば、例えば、回転ブラシを高速回転（低トルク）仕様とした場合、フローリング、たたみ、壁面、毛足の短い絨毯、布団、シーツ、毛布といった比較的高トルクを必要としない被清掃面に対しては高速回転での使用形態（回転ブラシ）にて清掃し、毛足の長い絨毯のように走行抵抗が大きくかつモータに高負荷がかかる被清掃体に対しては駆動ローラを高トルクで回転させて自走させる高トルクでの使用形態にて清掃するといったといった使い分けが可能となる。
【００７２】
この場合、高速回転での使用形態では、吸い付きやすい布団に対しては装着ノズルを小さいストロークで移動させる間に回転ブラシが高速回転するため、十分な除塵効果を得ることができる。また、フローリング、たたみ、壁面等に対しては高速回転する回転ブラシによる磨き効果を得ることができると共に、毛布、毛足の短い絨毯等に対しては回転ブラシによるダストの掻き出し効果を得ることができる。
また、高トルクでの使用形態では、第２吸込口にてダストをしっかり吸引除去すると共に、走行抵抗の大きい毛足の長い絨毯に対して駆動ローラの高トルク回転による吸込口本体の自走性を得ることができる。
【００７３】
〔ＡタイプおよびＢタイプ共通〕
前記吸込口本体は、前方吸込口および前記前方吸込口の後方に設けられた後方吸込口を含む前記第１吸込口と、前記前方吸込口と前記後方吸込口との間に設けられた区画壁とを有すると共に、前記後方吸込口の近傍に前記第１回転部材が配置されており、
前記装着ノズルの前記第２吸込口は、前記第２回転部材の長手方向の中間部に対応する位置に領域拡大部を有すると共に、前記吸込口体の前記底部に前記装着ノズルが装着された状態において前記領域拡大部を通して前記前方吸込口の一部が外部に露出するように構成されてもよい。
この構成によれば、高速回転での使用形態での清掃の際、第２回転部材の長手方向の中間部において吸引力を大きくすることができる。
【００７４】
前記装着ノズルを複数備えてもよい。
この構成によれば、高速回転での使用形態での清掃の際、例えば、フローリング、たたみ、壁面、毛足の短い絨毯等の一般清掃用の装着ノズルと、布団、毛布、シーツ等の寝具清掃専用の装着ノズルとに使い分けることができる。
【００７５】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００７６】
１、１０１  吸込口体
１０、１１０  吸込口本体
１１ａ  第１回転ブラシ（第１回転部材）
１１ｂ  ギアードモータ（モータ）
１１ｂ1  出力軸
１１ｃ、１１１ｃ  第１回転力伝達機構部
１１ｃ1  出力ギア
１１ｃ2  高トルクギア
１１ｄ  駆動部筐体（第１筐体）
１１ｄ11  前方吸込口（第１吸込口）
１１ｄ12  後方吸込口体（第１吸込口）
１１ｄ15  区画壁
１１ｄ18  通風路
２０、１２０  装着ノズル
２１、１２１  第２筐体
２１ａ1  第２吸込口
２１ａ11  領域拡大部
２２  第２回転ブラシ（第２回転部材）
２３  第２回転力伝達機構部
２３ａ  増速ギア
２３ａ1  第１ギア
２３ａ3  第２ギア
２３ａ4  第３ギア
１１１ａ  駆動ローラ（第１回転部材）
１１１ｃ2  中継ギア（高トルクギア）
【図１】
2020039697.tif 000003
【図２】
2020039697.tif 000004
【図３】
2020039697.tif 000005
【図４】
2020039697.tif 000006
【図５】
2020039697.tif 000007
【図６】
2020039697.tif 000008
【図７】
2020039697.tif 000009
【図８】
2020039697.tif 000010
【図９】
2020039697.tif 000011
【図１０】
2020039697.tif 000012
【図１１】
2020039697.tif 000013
【図１２】
2020039697.tif 000014
【図１３】
2020039697.tif 000015
【図１４】
2020039697.tif 000016
【図１５】
2020039697.tif 000017
【図１６】
2020039697.tif 000018
【図１７】
2020039697.tif 000019
【図１８】
2020039697.tif 000020
【図１９】
2020039697.tif 000021
【図２０】
2020039697.tif 000022
【図２１】
2020039697.tif 000023
【図２２】
2020039697.tif 000024
【図２３】
2020039697.tif 000025
【図２４】
2020039697.tif 000026
【図２５】
2020039697.tif 000027
【図２６】
2020039697.tif 000028
【図２７】
2020039697.tif 000029